(57)【要約】【課題】オーバーヘッド型ヘッドホンを収納や携帯に適した姿態となるようにヘッドホンの外形寸法を縮小変形させるものにおいて、携帯性の向上および変形工程中および携帯時の耐久性の向上をはかるとともに、変形工程の簡素化によって操作性をも向上させたヘッドホンを提供する。【解決手段】長手方向に伸縮可能なヘッドバンド部と、ヘッドバンドアームと結合されるスライドオーナメント部と、スライドオーナメント部に結合された一対のスイングアームを並列配置した上部ハンガーと、上部ハンガーに結合されるとともにイヤーカップを保持する下部ハンガーとを備え、下部ハンガーは上方への押し上げ操作により上部一対のスイングアームを拡開して形成された空間に押し込まれ、一対のスイングアームの間に収納され挟持される構成とした。【選択図】図１
2015026948.tif 000002
【特許請求の範囲】
【請求項１】
伸縮可能なヘッドバンド部（１）と、前記ヘッドバンド部（１）の一端に連結され外郭が互いに接近、離脱する方向に摺動可能な一対の外側スライドケース（２ｃ−１、２ｃ−２）を備えたスライドオーナメント部（２）と、前記外側スライドケース（２ｃ−１、２ｃ−２）のそれぞれに回動可能に装着された一対のスイングアーム（４ａ、４ｂ）を並列配置した上部ハンガー（４）と、前記上部ハンガー（４）に連結された下部ハンガー（５）からなるヒンジ構造を備えたハンガー部（３）と、前記下部ハンガー（５）に結合されスピーカユニットを内蔵した左右一対のイヤーカップ部（６）を備え、下部ハンガー（５）を上方に押し上げたとき前記上部ハンガー（４）の各スイングアーム（４ａ、４ｂ）が互いに離反する方向に拡開されて形成された空間に押し込まれ前記一対のスイングアーム（４ａ、４ｂ）の間に前記下部ハンガー（５）が密接に挟持されることを特徴とするヘッドホン。
【請求項２】
前記ヘッドバンド部（１）は中央に位置するヘッドバンドハウジング（１ａ）の内部に左右一対のヘッドバンドアーム（１ｂ−１、１ｂ−２）が摺動して進入、退出する空間が上下２層に分割されて形成され、前記ヘッドバンドアーム（１ｂ−１、１ｂ−２）が互いに干渉することなく独立して摺動可能でそれぞれのヘッドバンドアーム（１ｂ−１、１ｂ−２）の略全長が前記ヘッドバンドハウジング（１ａ）内に収納可能に構成されたことを特徴とする請求項１に記載のヘッドホン。
【請求項３】
前記スライドオーナメント部（２）は前記ヘッドバンドアーム（１ｂ−１、１ｂ−２）に連結される筒状のジョイントベース（２ａ）と、前記ジョイントベース（２ａ）の外側に隣接して設けられ、前記ジョイントベース（２ａ）上を前後方向に摺動して互いに接近または離反する一対の外側スライドケース（２ｃ−１、２ｃ−２）を備え、前記外側スライドケース（２ｃ−１、２ｃ−２）と前記ジョイントベース（２ａ）の間に一対の圧縮バネ（２ｄ−１、２ｄ−２）が架け渡され一対の外側スライドケース（２ｃ−１、２ｃ−２）を互いに接近する方向に付勢されていることを特徴とする請求項１または２に記載のヘッドホン。
【請求項４】
前記スライドオーナメント部（２）の前記ヘッドバンドアーム（１ｂ−１、１ｂ−２）との結合軸に、ハンガー部（３）を内側に付勢する側圧を発生させるためのトーションバネ（８）が装着されていることを特徴とする請求項１から３のいずれかに記載のヘッドホン。
【請求項５】
前記ハンガー部（３）は、前後方向に分割された一対のスイングアーム（４ａ、４ｂ）が前記スライドオーナメント部（２）の外側スライドケース（２ｃ−１、２ｃ−２）に回動可能に軸支され、前記一対のスイングアーム（４ａ、４ｂ）の対向する面が接触して並列配置される第１の位置から、前記下部ハンガー（５）の上方への移動に伴い前後に拡開されて形成される空間に前記下部ハンガー（５）が進入し、前記上部ハンガー（４）と前記下部ハンガー（５）の上端面が面一となって前記上部ハンガー（４）と前記下部ハンガー（５）の一対のスイングアーム（４ａ、４ｂ）が上下方向に平行に整列され、前記下部ハンガー（５）が前記上部ハンガー（４）の一対のスイングアーム（４ａ、４ｂ）の間に密接に挟持される第２の位置まで漸次回動することを特徴とする請求項１〜４のいずれかに記載のヘッドホン。
【請求項６】
前記イヤーカップ部（６）は前記下部ハンガー（５）に対して前記イヤーカップ部（６）を上下方向に摺動する位置調整機構を備え、イヤーカップ（６ａ）を位置調整の最上端に移動させた後さらにもう一段階強く押しこむことによりヒンジ機構のロックを解除し、前記上部ハンガー（４）の拡開動作を開始する構成としたことを特徴とする請求項１〜５のいずれかに記載のヘッドホン。
【発明の詳細な説明】
【技術分野】
【０００１】
本発明は、一対のヘッドホンユニットをヘッドバンドを介して使用者の頭部に装着し、ヘッドホンユニットを使用者の両耳に当接させるように保持するオーバーヘッド型のヘッドホンに関する。
【背景技術】
【０００２】
近年、携帯音楽機器などの普及によりコンパクトで携帯性に優れたヘッドホンに対するニーズがこれまで以上に高くなってきている。ヘッドホンは、耳介の内側に装着するインナーイヤー型と、頭部に装着するヘッドバンドおよびスピーカユニットを内装したハウジング（イヤーカップと呼称される）に耳介に当接させるあるいは耳介を覆って頭部に当接させる柔軟なイヤーパッドを装着したヘッドホンユニットを備えたオーバーヘッド型とに大別される。
【０００３】
オーバーヘッド型のヘッドホンは、ヘッドバンドを介してヘッドホン自体の重量を頭部で支える構造であるため、音を出力するスピーカユニットやそれを収納するハウジングにインナーイヤー型と比べてはるかに大きなものを使用することができ、さらに使用者により個人差のある頭部および耳介の形状や寸法に対応するために、ヘッドバンドの長さやイヤーカップの位置などを使用者に合わせて調節可能に構成することによって、音質が優れるとともに装着性の良好なヘッドホンを提供することができ音楽などを楽しむのに好適である。オーバーヘッド型のヘッドホンは前記したように大きなスピーカユニットを使うことで優れた音質を得られる反面、ヘッドホン全体の外形が大きくなるためインナーイヤー型のものに比べて携帯性に劣るという欠点があった。
【０００４】
この欠点を改善するために、携行する際にはヘッドバンドを折り曲げて使用時に比べてコンパクトな形に変形させるものが古くから各種提案されており、例えば特許文献１、２にはヘッドバンドを３箇所で折り曲げ、コンパクトに折り畳んで持ち運びするときのヘッドホンの容積を小さくして携帯性を向上させたものが示されている。特許文献１のものは折り畳んだ後の形態において一対のイヤーカップが径方向に並んで配置されるものであるため、径の大きなヘッドホンにおいては平面的なサイズの縮小が十分でなく、また折り畳みの際にハンガー同士がぶつかりあって傷ついたり、イヤーカップの表裏両面全体が剥き出しになっているので外力によって損傷する危険性もある。これに対して特許文献２のものはヘッドバンドを中心部で折り曲げ、さらにヘッドバンドとハンガーの結合部を折り曲げて、折り畳まれたヘッドバンドが左右のハンガーの内側に収まり、かつ一対のイヤーカップがイヤーパッド側を対向して近接配置させる構造により、さらにコンパクト化しイヤーカップの損傷を防止する構成としている。
【０００５】
しかしながら、特許文献２の構成においても携帯性が十分とは言えず、また、折り曲げられたヘッドバンド同士がぶつかり合って損傷する危険性は依然として残る。これに対し、特許文献３のものは、折り曲げたヘッドバンドおよびイヤーカップが装着された側を対向して当接させた左右のイヤーカップが、左右のヘッドバンドのハンガー部の内側の空間に収納される構造により、さらにコンパクト化するとともにヘッドバンドやイヤーカップの損傷を防止して、携帯性および耐久性を向上させた構造としている。
【０００６】
しかしながら、特許文献３の構造はヘッドバンドが第１〜第３のヒンジ部を備え、ヘッドバンド中央の第１のヒンジ部で折り曲げた際にヘッドバンドの両端部が重なり合わないように、第１のヒンジ部の枢軸を第２、第３のヒンジ部の枢軸の方向と異なる向きに傾きを持たせてあり、第１のヒンジ部を折り曲げた後、ヘッドバンド両端が互いに離反した状態で、第２、第３のヒンジ部を順次折り曲げてイヤーカップを包み込むようにするため、折り畳みの操作性が良いとは言えず、折り畳んだ姿態はヘッドバンドがねじれた形でイヤーカップを取り囲んだ形状となり、携帯性の向上も十分ではなく、また外観性も良好とは言い難い。
【先行技術文献】
【特許文献】
【０００７】
【特許文献１】実開昭５９−０１１５８６号公報
【特許文献２】特開平１０−１９１４９０号公報
【特許文献３】特開２０１０−１６６２５８号公報
【発明の概要】
【発明が解決しようとする課題】
【０００８】
本発明の目的とするところは、オーバーヘッド型ヘッドホンの収納あるいは携帯のためにヘッドホン外形のサイズを縮小化するための操作を行う際の操作性を向上するとともに、各部の損傷を防止し、さらに縮小化した後の姿態の外観性も向上させることにある。
【課題を解決するための手段】
【０００９】
上記課題を解決するために、請求項１に係る本発明のヘッドホンは、伸縮可能なヘッドバンド部１と、前記ヘッドバンド部１の一端に連結され外郭が互いに接近、離脱する方向に摺動可能な一対の外側スライドケース２ｃ−１、２ｃ−２を備えたスライドオーナメント部２と、前記外側スライドケース２ｃ−１、２ｃ−２のそれぞれに回動可能に装着された一対のスイングアーム４ａ、４ｂを並列配置した上部ハンガー４と、前記上部ハンガー４に連結された下部ハンガー５からなるヒンジ構造を備えたハンガー部３と、前記下部ハンガー５に結合されスピーカユニットを内蔵した左右一対のイヤーカップ部６を備え、下部ハンガー５を上方に押し上げたとき前記上部ハンガー４の各スイングアーム４ａ、４ｂが互いに離反する方向に拡開されて形成された空間に押し込まれ前記一対のスイングアーム４ａ、４ｂの間に前記下部ハンガー５が密接に挟持される構成としたヘッドホンであることを特徴とする。
【００１０】
請求項２に係る発明は、前記ヘッドバンド部１が中央に位置するヘッドバンドハウジング１ａの内部に左右一対のヘッドバンドアーム１ｂ−１、１ｂ−２が摺動して進入、退出する空間が上下２層に分割されて形成され、前記ヘッドバンドアーム１ｂ−１、１ｂ−２が互いに干渉することなく独立して摺動可能でそれぞれのヘッドバンドアーム１ｂ−１、１ｂ−２の略全長が前記ヘッドバンドハウジング１ａ内に収納可能に構成されたことを特徴とする請求項１に記載のヘッドホンである。
【００１１】
請求項３に係る発明は、前記スライドオーナメント部２が前記ヘッドバンドアーム１ｂ−１、１ｂ−２に連結される筒状のジョイントベース２ａと、前記ジョイントベース２ａの外側に隣接して設けられ、前記ジョイントベース２ａ上を前後方向に摺動して互いに接近または離反する一対の外側スライドケース２ｃ−１、２ｃ−２を備え、前記外側スライドケース２ｃ−１、２ｃ−２と前記ジョイントベース２ａの間に一対の圧縮バネ２ｄ−１、２ｄ−２が架け渡され一対の外側スライドケース２ｃ−１、２ｃ−２を互いに接近する方向に付勢されていることを特徴とする請求項１または２に記載のヘッドホンである。
【００１２】
請求項４に係る発明は、前記スライドオーナメント部２の前記ヘッドバンドアーム１ｂ−１、１ｂ−２との結合軸に、ハンガー部３を内側に付勢する側圧を発生させるためのトーションバネ８が装着されていることを特徴とする請求項１から３のいずれかに記載のヘッドホンである。
【００１３】
請求項５に係る発明は、前記ハンガー部３が、前後方向に分割された一対のスイングアーム４ａ、４ｂが前記スライドオーナメント部２の外側スライドケース２ｃ−１、２ｃ−２に回動可能に軸支され、前記一対のスイングアーム４ａ、４ｂの対向する面が接触して並列配置される第１の位置から、前記下部ハンガー５の上方への移動に伴い前後に拡開されて形成される空間に前記下部ハンガー５が進入し、前記上部ハンガー４と前記下部ハンガー５の上端面が面一となって前記上部ハンガー４と前記下部ハンガー５の一対のスイングアーム４ａ、４ｂが上下方向に平行に整列され、前記下部ハンガー５が前記上部ハンガー４の一対のスイングアーム４ａ、４ｂの間に密接に挟持される第２の位置まで漸次回動することを特徴とする請求項１〜４のいずれかに記載のヘッドホンである。
【００１４】
請求項６に係る発明は、前記イヤーカップ部６は前記下部ハンガー５に対して前記イヤーカップ部６を上下方向に摺動する位置調整機構を備え、イヤーカップ６ａを位置調整の最上端に移動させた後さらにもう一段階強く押しこむことによりヒンジ機構のロックを解除し、前記上部ハンガー４の拡開動作を開始する構成としたことを特徴とする請求項１〜５のいずれかに記載のヘッドホンである。
【００１５】
なお、本発明については誤解を生じることを防ぐために各部の構造や動作の方向について前後、左右、上下の記載は使用者がヘッドホンを装着したときの状態で使用者の顔の向いた方向を前、後頭部側を後ろ、右耳側を右、左耳側を左、頭頂部を上、頭頂部の反対側を下として定義（すなわちヘッドホンの正面図において右側に配置されたイヤーカップは左耳用、左側に配置されたイヤーカップは右耳用である）し、以下の記載においてもこの定義に基づいて統一する。
【発明の効果】
【００１６】
請求項１に係る本発明によればヘッドホンが、伸縮可能なヘッドバンド部と、下部ハンガーが上部ハンガーの一対のスイングアームの間に入り込んで密接に挟持され、圧縮バネにより互いに閉じる方向に付勢された一対の外側スライドケースが外郭を形成するスライドオーナメント部と協働してこの配置を維持するハンガー部で構成されているので、収納時のヘッドホン全体のサイズを従来のものよりさらにコンパクトにすることができるとともに、収納位置に配列された上部ハンガーおよび下部ハンガーの上端面がスライドオーナメント部で覆われるので外観を損なうことがなく意匠性も向上する。
【００１７】
請求項２に記載した発明によれば、ヘッドバンド部は左右一対のヘッドバンドアームが互いに干渉しないように独立してヘッドバンドハウジング内を摺動して伸縮できるように構成したので、収納時にはヘッドバンド部の全長を略半分まで縮小させることができ、収納姿態をよりコンパクトにすることができる。さらにヘッドバンドアームの一方を開状態に、他の一方を閉状態とすることもできるため、使用環境によっては一方のイヤーカップを耳介から離れた位置にずらして装着し、外部の音も聴取できるようにすることも可能である。
【００１８】
請求項３に記載した発明によれば、前記スライドオーナメント部は前記ヘッドバンドアームに結合される筒状のジョイントベースと、前記ジョイントベースの外側に隣接して設けられ、前記ジョイントベース上を前後方向に摺動して互いに接近または離反する一対の外側スライドケースを備え、前記外側スライドケースと前記ジョイントベースの間に一対の圧縮バネが架け渡され一対の外側スライドケースを互いに接近する方向に付勢される構成としたため、スライドオーナメントの伸縮が単純な操作でスムーズな摺動動作によって達成されるので操作性が向上するとともに、前記下部ハンガーが前記上部ハンガーに収納されて並列配置された状態を維持するので収納状態が安定する。また前記外側スライドケースと前記ジョイントベースによって、前記下部ハンガーと前記上部ハンガーが並列配置された上端面を覆うから意匠性も向上する。
【００１９】
請求項４に記載した発明によれば、前記スライドオーナメント部と前記ヘッドバンドアームとの結合軸に、ハンガー部を内側に付勢する側圧を発生させるためのトーションバネが設けられているので、ハンガー部およびイヤーカップ部に内側に倒れ込む力が加わり、頭部への装着が安定するとともに収納時には一対のイヤーカップが対向して接近し当接した状態でコンパクトな収納状態を容易に得られる。
【００２０】
請求項５に記載した発明によれば、前記上部ハンガーの一対のスイングアームが拡開して形成された空間に前記下部ハンガーを押し込み密接に挟持する構成により、前記上部ハンガーと前記下部ハンガーを並列配置することができ、前記ハンガー部の全長を略半減することができ、前記ヘッドバンド部の全長を略半分に縮小することと組み合わせてコンパクト化が一層改善される。
【００２１】
請求項６に記載した発明によれば、前記イヤーカップを位置調整の最上段からさらに押し込む単純な動作で前記ハンガー部のヒンジ機構のロックを解除してヒンジ機構の開閉動作を可能にした後、前記下部ハンガーを上方に押し上げる直線的な操作のみで下部ハンガーを前記上部ハンガーの一対のスイングアームの間に密接に挟持して収納するので、従来のヘッドバンドを複数個所で折り畳む方式に比べて操作性が格段に向上し、操作中の部品同士の衝突による損傷をも回避でき耐久性も向上する。
【図面の簡単な説明】
【００２２】
【図１】ヘッドホンの主要構成を示す斜視図である。
【図２】（ａ）、（ｂ）はヘッドバンド部の構造および動作を示す断面図である。
【図３】各部の構成を説明するための分解斜視図である。
【図４】（ａ）、（ｂ）はヘッドバンドアームとスライドオーナメント部結合箇所の斜視図、（ｃ）はトーションバネを拡大して示す斜視図である。
【図５】（ａ）〜（ｃ）はヘッドバンドアームに対するストッパ構造を示す部分斜視図である。
【図６】スライドオーナメント部全閉時の正面図である。
【図７】スライドオーナメント部全開時の正面図である。
【図８】スライドオーナメント部全開時の背面内部を示す垂直方向断面図である。
【図９】スライドオーナメント部全開時の天面内部を示す水平方向断面図である。
【図１０】（ａ）、（ｂ）はイヤーカップが取り付けられた下部ハンガーの内部構造、および動作説明図である。
【図１１】（ａ）、（ｂ）はヒンジ機構のロック機構の動作説明図を示す。
【図１２】（ａ）〜（ｄ）はロック機構の他の例を示す。
【図１３】下部ハンガーが上部ハンガーのスイングアームの間に収納された状態を示す内側から見た斜視図である。
【図１４】（ａ）〜（ｆ）はスライドオーナメント部およびハンガー部の動作を説明するための簡略化した模式図である。
【図１５】（ａ）、（ｂ）は図１４に示したねじりバネを引張りバネに替えたヒンジ部バネ構造を示す模式図である。
【図１６】（ａ）〜（ｆ）は使用状態から収納状態までの変形過程を示す斜視図である。
【発明を実施するための形態】
【００２３】
本発明の実施の形態を示すにあたり、前述したとおり誤解を生じることを防ぐために各部の構造や動作の方向について前後、左右、上下の記載は使用者がヘッドホンを装着したときの状態で使用者の顔の向いた方向を前、後頭部側を後ろ、右耳側を右、左耳側を左、頭頂部側を上、頭頂部の反対側を下として定義（すなわちヘッドホンの正面図において右側に配置されたイヤーカップは左耳用、左側に配置されたイヤーカップは右耳用である）し、以下の記載においてもこの定義に基づいて統一して説明する。
【実施例】
【００２４】
以下、本発明の一実施例を図面に基づいて説明する。
図１はヘッドホンの全体構成を示す斜視図であり、装着時のヘッドホンの姿態を示す。本発明のヘッドホンは頭部に装着するためのヘッドバンド部１と、前後に摺動して離反あるいは接近可能な一対のスライドケースを備えたスライドオーナメント部２と、前後に２分割された一対のスイングアーム４ａ、４ｂが前後方向に密接に並列配置された上部ハンガー４と、上部ハンガー４の下方に直列配置された下部ハンガー５で構成されるハンガー部３と、下部ハンガーに保持されるイヤーカップ部６を備えている。
【００２５】
ヘッドバンド部１は中央に位置するヘッドバンドハウジング１ａとハウジング内に進入退出可能に摺動する一対のヘッドバンドアーム１ｂ−１、１ｂ−２とで構成されている。ヘッドバンドハウジング１ａは図２に示すとおり、一対のヘッドバンドアーム１ｂ−１、１ｂ−２が互いに干渉することなく独立に摺動できるように上下２層に区画された空間が形成されている。すなわち、図２（ａ）はヘッドバンドアームの大半をハウジングから引き出した状態を示す断面図、図２（ｂ）はヘッドバンドアームの大半をハウジング内に収納した状態を示す断面図である。なおヘッドバンドアーム１ｂ−１、１ｂ−２をヘッドバンドハウジング１ａの端部まで引き出す際にハウジングから脱落しないように図示しない周知のストッパー機構が設けられていることはいうまでもない。
【００２６】
図３は、図１に示したスライドオーナメント部２およびハンガー部３の構成を説明するための分解斜視図で、ヘッドバンドハウジング１ａおよびイヤーカップ部６は省略しており、さらにスライドオーナメント部２およびヒンジ部の構成は右耳用、左耳用とも同一の構成なので、左耳に対応した部分のみを示した。
【００２７】
スライドオーナメント部２は、外形が略かまぼこ型の筒状のジョイントベース２ａと、その外側に配置される一対の内側スライドケース２ｂ−１、２ｂ−２と、さらにその外側に配置される一対の外側スライドケース２ｃ−１、２ｃ−２と、それらにそれぞれ内装されるコイル状の圧縮バネ２ｄ−１、２ｄ−２を備えている。スライドオーナメント部２はジョイントベース２ａの天面に形成した切り欠きにヘッドバンドアーム１ｂ−１の端部に形成した円筒状の突出部を挿入し、一対のジョイント軸７およびトーションバネ８により取り付けられる。図４はヘッドバンドアーム１ｂ−１とスライドオーナメント部２を連結する結合構造を説明するためのもので、図４（ａ）はヘッドバンドアーム１ｂ−１とスライドオーナメント部２のジョイントベース２ａとの結合箇所を示す斜視図、図４（ｂ）は結合箇所の要部分解斜視図、図４（ｃ）はトーションバネ８を拡大して示す斜視図である。トーションバネ８の下端はジョイントベース２ａに固定され、上端はヘッドバンドアーム１ｂ先端の円筒状突出部に形成した溝ｂに嵌合され、ハンガー部３を左右に開こうとすると巻き戻されたトーションバネ８の復元力により、ハンガー部３を元に戻そうとする方向に付勢されるので、ハンガー部３は常に内側に倒れこむ側圧がかかるように構成されている。
【００２８】
ハンガー部３は前記したようにトーションバネ８によって常に内側に倒れ込む側圧がかかっているが、通常使用時は内側に倒れ込みすぎると取り回しが悪いので、これを規制するためのストッパーがスライドオーナメント部２に設けられている。このストッパー構造を図５（ａ）に示す。外側スライドケース２ｃの天面に形成された切り欠きの端部が通常使用時ストッパーＳ１として機能し、ハンガー部３の倒れ込みをイヤーカップ同士が当接しないように間隔を持たせた位置（図１参照）で規制している。収納時にはスライドオーナメント部２が開くことにより、通常使用時ストッパーＳ１による規制が解除され、ヒンジ部が通常使用時よりもさらに内側に向けて変位し、イヤーカップ部６が合わさる角度まで動くことが可能になる。この動きもスライドオーナメント部２に形成したストッパーＳ１によって規制されるが、通常使用時ストッパーＳ１が外側スライドケース２ｃに設けられているのに対し、図５（ｂ）に示すように、収納時ストッパーＳ２はジョイントベース２ａに設けられている。通常使用時ストッパーＳ１と収納時ストッパーＳ２とを別々に設けたことにより使い勝手を向上させることができる。また、ジョイントベース２ａには、ヘッドホンを頭部から外す際に、ハンガーに加わる側圧に抗して外側に開く時の回動規制のために、図５（ｃ）に示すとおり、全開時ストッパーＳ３が形成されており、必要以上に開き過ぎてヒンジ部に損傷を与えることを防止している。なお、図５はヘッドバンド部１の右側部分とスライドオーナメント部２の結合箇所を示しているが、左側についても同様の構造である。
【００２９】
スライドオーナメント部２の構成および動作を図３および図６〜９によって説明する。図３に示したように、スライドオーナメント部２は、外形が略かまぼこ型の筒状のジョイントベース２ａと、その外側に隣接して配置される一対の内側スライドケース２ｂ−１、２ｂ−２、さらに内側スライドケース２ｂ−１、２ｂ−２の外側に隣接して配置される一対の外側スライドケース２ｃ−１、２ｃ−２を備える３層構造を有している。図６はスライドオーナメント全閉時の右側から見た正面図、図７はスライドオーナメント全開時の右側から見た正面図、図８は全開時のスライドオーナメント背面内部を示す垂直方向断面図、図９は全開時のスライドオーナメント天面の内部を示す水平方向断面図である。図６のスライドオーナメント部２が閉じた状態で矢印方向の力を加えると外側スライドケースが互いに離れるように摺動し、図７の全開時の状態まで伸長する。図８、図９に示すようにスライドオーナメント内には一対のコイル状の圧縮バネ２ｄ−１、２ｄ−２が内装され、それぞれ一端をジョイントベース２ａ、他端が外側スライドケース２ｃ−１、２ｃ−２にそれぞれ固定されており、外側スライドケース２ｃ−１、２ｃ−２は互いに接近する方向の力が加えられており、この力に抗して外側スライドケース２ｃ−１、２ｃ−２を引き離す力を加えると、外側スライドケース２ｃ−１、２ｃ−２および内側スライドケース２ｂ−１、２ｂ−２の内部に設けられたガイドピンが内側スライドケース２ｂ−１、２ｂ−２およびジョイントベース２ａに形成された溝に案内されて図７〜９の全開状態まで直線的に摺動する。スライドオーナメント部２の構成について図面に例示した３層構造のもので説明したが、内側スライドケース２ｂ−１、２ｂ−２を省略してジョイントベース２ａと外側スライドケース２ｃ−１、２ｃ−２の２層構造としてもよく、またジョイントベース２ａの外形は略かまぼこ型のものに限らず、スライドオーナメント部としての機能を果たせるものであれば他の形状のものを適用することもできる。
【００３０】
なお、図１に示すように、ハンガー部３は上部ハンガー４と下部ハンガー５とで構成され、さらに上部ハンガー４は一対のスイングアーム４a、４ｂに分割されており、スイングアーム４ａ、４ｂは、図３に示すように、それぞれスライドオーナメント部２の外側スライドケース２ｃ−１、２ｃ−２の下部にスイング軸９およびスイングバネ１０を介して連結される。また、下部ハンガー５は、詳しくは図９に示すように、上端近傍にギア５ａとストッパー５ｂを内装しており、下部ハンガー５はギア５ａを貫通する一対のギアシャフト１２と一対のジョイントアーム１１を介して上部ハンガー４のスイングアーム４ａ、４ｂ中間部に連結されてヒンジ機構を構成している。さらに下部ハンガー５には上下方向に摺動して位置調整可能なイヤーカップ部６が装着される。
【００３１】
ギア５ａは、図１０に示すように、一対のギア５ａが噛み合った状態で配設されており、ギアシャフト１２を回転軸として上部ハンガー４の一対のスイングアーム４ａ、４ｂを拡開するための一対のジョイントアーム１１（図３参照）を同期して回転させるものであるが、上部ハンガー４と下部ハンガー５を引き離した使用状態においては、後述するロック機構により回転を規制されてヒンジ機構がロックされている。イヤーカップ６ａは、図１０（ａ）に示すＡからＢの範囲で位置調整可能であり、イヤーカップ６ａの中心がＣになったときが使用状態の最上段位置であるが、イヤーカップ６ａをこの位置からさらに一段強く押しこんでイヤーカップ６ａに結合された押し子５ｃの先端でストッパー５ｂを押し込むとロックが解除され、ヒンジ機構の開閉動作が始まる構成としている。図１０（ｂ）はこの状態を示している。
【００３２】
前記したヒンジ構造のロック機構について具体的な実施例を詳述する。ロック機構の一例を図１１（ａ）、（ｂ）に示す。ストッパー５ｂにはギアシャフト１２を挿通する略小判型の開口が設けられ、この開口の上端には開口の中心に向かう突起が形成されており、通常使用時には、（ａ）に示すように、このストッパーの突起がギアシャフトに食い込んでシャフトの回転を規制しており、収納時には（ｂ）に示すようにイヤーカップと連結された押し子５ｃがストッパー５ｂを押し上げることによりジョイントアーム１１と連結されたギアシャフト１２の回転規制が解除されるものである。
【００３３】
ロック機構の他の例を図１２（ａ）〜（ｄ）により説明する。図１２（ａ）は使用状態の時にジョイントアーム１１の両端の軸位置を角度１．５°とし１ｍｍ程度ずらして内傾させることにより、不意に下部ハンガー５を上方に押し上げたときにスイングアーム４ａ、４ｂが連動して開かないようにしたものである。図１２（ｂ）〜（ｄ）はこの内傾状態を解除してジョイントアーム１１を回動させるための機構を示しており、ストッパー５ｂは図１２（ｂ）、（ｃ）に示した形状をしており、図１２（ｂ）はギア５ａとストッパー５ｂの配置関係を示す斜視図、図１２（ｃ）はギア形成部を取り除いた状態の平面図、図１２（ｄ）は図１２（ｃ）のロック解除機構の要部を拡大して示す図である。イヤーカップ６ａと連結された押し子５ｃを押し上げてストッパー５ｂをギア５ａの下側に押し込むと、ジョイントアームに連結されたドグ５ｄをストッパー５ｂに形成した突起で回転させることによりジョイントアームを回転させる構成となっている。図１０（ａ）、（ｂ）に示したものはこの構成を適用したものであるが、ロック解除機構はこれに限らず図１１（ａ）、（ｂ）に示した構造のほか各種の構造を用いることができる。
【００３４】
図１３はヒンジ部の開閉作業が完了して右耳用の下部ハンガー５が上部ハンガー４の間に挟持され収納されたときの状態を内側から見た斜視図である。
【００３５】
次に収納操作のスライドオーナメント部およびハンガー部の連動した動作を簡素化した模式図１４を用いて詳細に説明する。図１４（ａ）はスライドオーナメント部２と上部ハンガー４、上部ハンガー４と下部ハンガー５を連結するヒンジ構造の基本的な構成を示すもので、スライドオーナメント部２にはコイル状の圧縮バネ２ｄ−１、２ｄ−２が内装されて外側スライドケース２ｃ−２を矢印方向に閉じようとするように付勢し、一対の外側スライドケース２ｃ−１、２ｃ−２の下部にはそれぞれ上部ハンガー４のスイングアーム４ｂが外側に向かって回動可能にスイング軸９に軸支されて連結され、内装したねじりバネ１４によって矢印方向に閉じる方向に付勢されている。上部ハンガー４の一対のスイングアーム４ａ、４ｂと下部ハンガー５は両端を回転軸により軸支された一対のジョイントアーム１１により連結されている。
【００３６】
図１４（ｂ）〜（ｆ）は下部ハンガー５が上部ハンガー４のスイングアーム４ａ、４ｂの間に収納されるまでの姿態の変化を示している。図１４（ｂ）は前記したようにイヤーカップ６ａの押し上げによりロックを解除してヒンジ構造の開閉運動が開始される前の状態を示している。下部ハンガー５を押し上げていくとジョイントアーム１１の回転によって一対のスイングアーム４ａ、４ｂが開いていき、図１４（ｃ）のように所定の角度でスライドオーナメント部２に設けられたスイングストッパー１３によって回転を規制されるまで回転する。この過程まではスライドオーナメント部２は少しづつ開いていくものの、ほぼ閉じた状態に近く、さらに下部ハンガー５を押し込んでいくとスライドオーナメント部２が大きく開き始め、これに伴ってジョイントアーム１１がさらに回転することによって図１４（ｄ）、（ｅ）のように変形し、最後まで押し込むと図１４（ｆ）のように下部ハンガー５が上部ハンガー４の一対のスイングアームの間に挟みこまれて完全な閉状態となる。なお図１４（ｄ）の状態ではねじりバネ１４の力により、また図１４（ｅ）の状態では圧縮バネ２ｄ−１、２ｄ−２とねじりバネ１４の力により上部ハンガー４の拡開状態が維持されるように構成されているので下部ハンガー５の上方への直進運動だけで上部ハンガー４に収容することができるので操作性が向上する。
【００３７】
なお、上部ハンガー４を矢印方向に付勢するためのスイングバネとしてねじりバネ１４を用いた例で説明したが、ねじりバネ１４に替えて、図１５に示すように、引張りバネ１５を用いて構成とすることも可能である。図１５はその一例を示す。図１５は図１４における右側の外側スライドケース２ｃ−２とスイングアーム４ｂの連結部に対応する部分を示したもので、図１５（ａ）はスイングアーム４ｂが閉じた状態を示し、引張りバネ１５をスイング軸（回転軸）９の横にずらした位置で外側スライドケース２ｃ−２とスイングアーム４ｂの間に張架されており、この状態からスイングアーム４ｂを図１５（ｂ）の状態に開いたとき引張りバネ１５は傾いた方向に変形し図１４（ａ）のねじりバネ１４と同様に閉じた状態に戻ろうとする力が発生する。外側スライドケース２ｃ−２には下方に突出したスイングストッパー１３が形成されスイングアーム４ｂの回転を所定の角度で規制しているのは図１４と同様である。図３に示された実施例はこの図１５の基本構成を適用したもので、この引張りバネ１５がスイングバネ１０に相当する。なお、符号１４のねじりバネは符号８で示したトーションバネと、符号１５の引張りバネは２ｄの圧縮バネと同義であるが、理解しやすいように使用する個所によって使い分けていることを付言する。
【００３８】
図１６（ａ）〜（ｆ）は使用状態から収納状態までの姿態の変化を示す。（ａ）は収納状態、（ｆ）は使用状態を示す。まず、図１６（ｆ）に示す使用状態から、コンパクトな状態にする場合、図２（ｂ）に示すように、ヘッドバンドアーム１ｂ−１、１ｂ−２をヘッドバンドハウジング１ａに収納されるように摺動してヘッドバンド部の全長を縮小し（図１６（ｅ）が相当）、前記したハンガー部の縮小操作をしていけば最終的な収納状態の姿態を非常にコンパクトで外観性も優れたものとし得る。
【産業上の利用可能性】
【００３９】
本発明は耳介を覆うイヤーパッドを備えた密閉型ヘッドホンやイヤーパッドが耳介に当接するオープンエア型のヘッドホンなど比較的大径のイヤーカップを備えたオーバーヘッド型ヘッドホンに好適に利用することができるが、ヘッドバンドを介して装着するものであれば耳介内に挿入するインナーイヤー型のイヤホンにおいても同様に利用可能である。
【符号の説明】
【００４０】
１    ヘッドバンド部
１ａ    ヘッドバンドハウジング
１ｂ−１、１ｂ−２    ヘッドバンドアーム
２    スライドオーナメント部
２ａ    ジョイントベース
２ｂ−１、２ｂ−２    内側スライドケース
２ｃ−１、２ｃ−２    外側スライドケース
２ｄ−１、２ｄ−２    圧縮バネ
３    ハンガー部
４    上部ハンガー
４ａ、４ｂ    スイングアーム
５    下部ハンガー
５ａ    ギア
５ｂ    ストッパー
５ｃ    押し子
５ｄ    ドグ
６    イヤーカップ部
６ａ    イヤーカップ
６ｂ    イヤーパッド
７    ジョイント軸
８    トーションバネ
９    スイング軸
１０（１５）    スイングバネ
１１    ジョイントアーム
１２    ギアシャフト
１３    スイングストッパー
１４    ねじりバネ
１５    引張りバネ
【図１】
2015026948.tif 000003
【図２】
2015026948.tif 000004
【図３】
2015026948.tif 000005
【図４】
2015026948.tif 000006
【図５】
2015026948.tif 000007
【図６】
2015026948.tif 000008
【図７】
2015026948.tif 000009
【図８】
2015026948.tif 000010
【図９】
2015026948.tif 000011
【図１０】
2015026948.tif 000012
【図１１】
2015026948.tif 000013
【図１２】
2015026948.tif 000014
【図１３】
2015026948.tif 000015
【図１４】
2015026948.tif 000016
【図１５】
2015026948.tif 000017
【図１６】
2015026948.tif 000018